(57)【要約】【課題】本発明は、トイレ室内を消臭でき、しかも、ランニングコストを低く抑えることができるトイレ室の消臭システム及び消臭方法の提供を目的とする。【解決手段】芳香器１と、消臭器３と、換気扇４と、制御装置２とを備える。制御装置２は、トイレ室９の使用が開始され、且つ、その開始時の臭気レベルが設定臭気レベルＢよりも高い場合に、芳香器作動開始信号を芳香器１に送信する。又、臭気レベルが設定臭気レベルＢよりも高い場合に、消臭器の作動開始信号を消臭器３に送信する。更に、臭気レベルが設定臭気レベルＢより高いレベルの設定臭気レベルＡよりも高い場合に、換気扇の作動開始信号を換気扇４に送信する。【選択図】図１
2009155832.tif 000002
【特許請求の範囲】
【請求項１】
トイレ室内に芳香を放つ芳香器と、その芳香器に制御信号を送信可能な制御装置とを備えたトイレ室の消臭システムであって、
前記制御装置は、前記トイレ室の使用が開始されたか否かを判定する使用開始判定部によって、前記開始されたとの判定をした場合であって、且つ、その開始時におけるトイレ室内の臭気レベルが第１設定臭気レベルよりも高いか否かを判定する第１臭気レベル判定部によって、前記臭気レベルが第１設定臭気レベルよりも高いとの判定をした場合に、芳香器作動開始信号を芳香器に送信することを特徴とするトイレ室の消臭システム。
【請求項２】
前記トイレ室内に、制御装置からの制御信号を受信可能な消臭器と換気扇との少なくとも一つが設けられ、
前記制御装置は、前記第１臭気レベル判定部によって、前記臭気レベルが第１設定臭気レベルよりも高いとの判定をした場合に、前記消臭器と換気扇との少なくとも一つに作動開始信号を送信することを特徴とする請求項１記載のトイレ室の消臭システム。
【請求項３】
前記トイレ室内に、消臭器と換気扇とが設けられ、
前記制御装置は、前記第１設定臭気レベルよりも高いとの判定に基づいて消臭器に作動開始信号を送信するとともに、前記消臭器に作動開始信号を送信した後における前記トイレ室内の臭気レベルが、第１設定臭気レベルより高いレベルの第２設定臭気レベルよりも高いか否かを判定する第２臭気レベル判定部によって、前記第２設定臭気レベルよりも高いとの判定をした場合に、その判定に基づいて、換気扇に作動開始信号を送信することを特徴とする請求項２記載のトイレ室の消臭システム。
【請求項４】
前記制御装置は、前記換気扇に作動開始信号を送信した後における前記トイレ室内の臭気レベルが、前記第２設定臭気レベルよりも高い状態を維持しているか否かを判定する高臭気レベル維持判定部によって、前記維持していないとの判定をした場合に、その判定に基づいて、換気扇に作動停止信号を送信することを特徴とする請求項３記載のトイレ室の消臭システム。
【請求項５】
トイレ室内に芳香を放つ芳香器と、その芳香器に制御信号を送信可能な制御装置とを用いてトイレ室の消臭を行うトイレ室の消臭方法であって、
前記制御装置に、前記トイレ室の使用が開始されたか否かを判定させて、前記開始されたとの判定をした場合であって、且つ、その開始時におけるトイレ室内の臭気レベルが第１設定臭気レベルよりも高いか否かを判定させて、前記臭気レベルが第１設定臭気レベルよりも高いとの判定をした場合に、芳香器作動開始信号を芳香器に送信させることを特徴とするトイレ室の消臭方法。
【発明の詳細な説明】
【技術分野】
【０００１】
本発明は、トイレ室の消臭システム及び消臭方法に関するものである。
【背景技術】
【０００２】
従来から、トイレ室の臭いを消すシステムとして、例えばトイレの入口に人体感知センサを設置し、同人体感知センサが人体を感知したとき、香り発生装置（芳香器）を作動させるコントローラを設けてなる快適トイレシステムが提案されている（特許文献１参照）。
【特許文献１】特開平０９―１３１２８０号公報
【発明の開示】
【発明が解決しようとする課題】
【０００３】
しかしながら、上記特許文献１のように、人体感知センサが人体を感知したときに、常に芳香器を作動させたのでは、トイレ室内に臭気がない場合でも芳香器を作動させることになり、ランニングコストが高くつき、不経済なものになるという問題点がある。
【０００４】
本発明は、トイレ室内を消臭でき、しかも、ランニングコストを低く抑えることができるトイレ室の消臭システム及び消臭方法の提供を目的とする。
【課題を解決するための手段】
【０００５】
前記課題を解決するために、本発明の請求項１は、トイレ室内に芳香を放つ芳香器と、その芳香器に制御信号を送信可能な制御装置とを備えたトイレ室の消臭システムであって、前記制御装置は、前記トイレ室の使用が開始されたか否かを判定する使用開始判定部によって、前記開始されたとの判定をした場合であって、且つ、その開始時におけるトイレ室内の臭気レベルが第１設定臭気レベルよりも高いか否かを判定する第１臭気レベル判定部によって、前記臭気レベルが第１設定臭気レベルよりも高いとの判定をした場合に、芳香器作動開始信号を芳香器に送信することを特徴とするトイレ室の消臭システムを提供する。
【０００６】
請求項２のように、前記トイレ室内に、制御装置からの制御信号を受信可能な消臭器と換気扇との少なくとも一つが設けられ、前記制御装置は、前記第１臭気レベル判定部によって、前記臭気レベルが第１設定臭気レベルよりも高いとの判定をした場合に、前記消臭器と換気扇との少なくとも一つに作動開始信号を送信することが好ましい。
【０００７】
請求項３のように、前記トイレ室内に、消臭器と換気扇とが設けられ、前記制御装置は、前記第１設定臭気レベルよりも高いとの判定に基づいて消臭器に作動開始信号を送信するとともに、前記消臭器に作動開始信号を送信した後における前記トイレ室内の臭気レベルが、第１設定臭気レベルより高いレベルの第２設定臭気レベルよりも高いか否かを判定する第２臭気レベル判定部によって、前記第２設定臭気レベルよりも高いとの判定をした場合に、その判定に基づいて、換気扇に作動開始信号を送信することが好ましい。
【０００８】
請求項４のように、前記制御装置は、前記換気扇に作動開始信号を送信した後における前記トイレ室内の臭気レベルが、前記第２設定臭気レベルよりも高い状態を維持しているか否かを判定する高臭気レベル維持判定部によって、前記維持していないとの判定をした場合に、その判定に基づいて、換気扇に作動停止信号を送信することが好ましい。
【０００９】
本発明の請求項５は、前記課題を解決するために、トイレ室内に芳香を放つ芳香器とその芳香器に制御信号を送信可能な制御装置とを用いてトイレ室内の消臭を行うトイレ室の消臭方法であって、前記制御装置に、前記トイレ室の使用が開始されたか否かを判定させて、前記開始されたとの判定をした場合であって、且つ、その開始時におけるトイレ室内の臭気レベルが第１設定臭気レベルよりも高いか否かを判定させて、前記臭気レベルが第１設定臭気レベルよりも高いとの判定をした場合に、芳香器作動開始信号を芳香器に送信させることを特徴とするトイレ室の消臭方法を提供する。
【発明の効果】
【００１０】
請求項１及び請求項５によれば、例えばトイレ室内の臭気が弱く感じられる程度の臭気レベルを予め第１設定臭気レベルに設定しておき、そして、制御装置が、トイレ室の使用が開始されたとの判定をした場合であって、且つ、その開始時におけるトイレ室内の臭気レベルが第１設定臭気レベルよりも高いとの判定をした場合に、芳香器作動開始信号を芳香器に送信することにより、芳香器を作動させて芳香をトイレ室内に放たせる。従って、使用者は、芳香器が放つ芳香を嗅ぐことができるとともに、前使用者の排出物の臭気を感じ難くできる。しかも、芳香器を効率的に、且つ、経済的に作動させることができ、ランニングコストを低く抑えることができる。
【００１１】
請求項２によれば、トイレ室内の臭気がその第１設定臭気レベルよりも高い場合に、制御装置は、消臭器と換気扇との少なくとも一つに作動開始信号を送信し、消臭器と換気扇との少なくとも一つに作動を開始させる。これにより、トイレ室内を短時間で迅速に消臭できる。
【００１２】
請求項３によれば、制御装置は、トイレ室内の臭気が第１設定臭気レベルよりも高い場合には、まず、消臭器に作動開始信号を送信するため、換気扇を作動させずに済み、経済的なものにできる。又、トイレ室内に芳香器から芳香が放たれ、更には、冷房又は暖房によってトイレ室内が温度調整されている場合に、その芳香が放たれ、更には、温度調整された空気が、換気扇の作動によって外に出てしまうようなことを防止できる。
【００１３】
一方、消臭器を作動した後に、例えばトイレ室内の臭気レベルが更に高くなって第２設定臭気レベルよりも高くなった場合には、制御装置は、換気扇に作動開始信号を送信するため、消臭器の作動に加えて換気扇が作動する。従って、トイレ室内の臭気レベルを、より短時間で低くできる。
【００１４】
請求項４によれば、制御装置は、換気扇に作動開始信号を送信した後におけるトイレ室内の臭気レベルが、第２設定臭気レベルよりも高くない場合には、換気扇に作動停止信号を送信して、換気扇の作動を停止させる。従って、例えばトイレ室内の臭気レベルが、第１設定臭気レベルよりも高いが第２設定臭気レベル以下のような場合には、消臭器の作動だけで消臭を行うことができ、経済的なものにできるとともに、トイレ室内の芳香が放たれ、更には、温度調整された空気を、換気扇の作動によって外に出てしまうようなことを極力抑えることができる。
【発明を実施するための最良の形態】
【００１５】
以下、本発明を実施するための最良の形態について、図面を参照しながら詳細に説明する。
【００１６】
図１は、本発明の一実施の形態のトイレ室の消臭システムを施したトイレ室の概略図、図２は、同システムに用いられる芳香器を説明するためのブロック図、図３は、同システムに用いられる制御装置を説明するためのブロック図、図４は、同システムに用いられる消臭器を説明するためのブロック図、図５は、同システムに用いられる換気扇を説明するためのブロック図である。
【００１７】
本発明のトイレ室の消臭システムは、図１に示すように、トイレ室９内に芳香を放つ芳香器１と、トイレ室９内の消臭を行う消臭器３と、トイレ室９内の換気を行う換気扇４と、それらの芳香器１と消臭器３と換気扇４とに有線又は無線（この実施形態では無線）により制御信号を送信可能な制御装置２とを備えている。
【００１８】
芳香器１は、この実施形態では、通電によって芳香成分をトイレ室９内に拡散させることができるように構成された電気式の芳香器で、図２に示すように芳香器作動開始部１１と、芳香器作動停止部１２と、受信部１３とを備えている。
【００１９】
受信部１３は、例えば制御信号である芳香器作動開始信号、あるいは芳香器作動停止信号を制御装置２から受信する。
【００２０】
芳香器作動開始部１１は、制御装置２から芳香器作動開始信号を受信すると、その芳香器作動開始信号に基づいて芳香器の作動を開始させる。
【００２１】
芳香器作動停止部１２は、制御装置２から芳香器作動停止信号を受信すると、その芳香器作動停止信号に基づいて芳香器の作動を停止させる。
【００２２】
又、芳香器１は、図示しないが、記録装置であるメモリ、制御装置であるＣＰＵ、制御装置２と通信するため通信インターフェース等を備えている。
【００２３】
そして、上記ＣＰＵは、図２の芳香器作動開始部１１、芳香器作動停止部１２、受信部１３として機能する。
【００２４】
次に、制御装置２について説明する。この実施形態の制御装置２は、図３に示すように使用開始判定部２１と、使用終了判定部２２と、第１臭気レベル判定部２３と、第２臭気レベル判定部２４と、高臭気レベル維持判定部２５と、低臭気レベル維持判定部２６と、送信部２７とを備えている。
【００２５】
使用開始判定部２１は、トイレ室を使用する使用者によってトイレ室９の使用が開始されたか否かを判定する。又、使用終了判定部２２は、使用者によるトイレ室９の使用が終了されたか否かを判定する。
【００２６】
この実施形態では、使用開始判定部２１は、トイレ室９に設けられた検出装置から受信した使用開始検出信号に基づいて、トイレ室の使用が開始されたとの判定をし、又、使用終了判定部２２は、その検出装置から受信した使用終了検出信号に基づいて、トイレ室９の使用が終了されたとの判定をする。
【００２７】
詳しくは、トイレ室９には、図示しないが、入室及び退室を検出する検出センサを有する検出装置が設けられている。また、この実施形態の検出センサは、トイレ室９の入り口近傍に設置された赤外線センサから構成され、使用者がトイレ室９に入ってくる（入室）とその入室を検出するとともに、その入室した使用者がトイレ室９から出て行く（退室）とその退室を検出する。
【００２８】
又、検出装置は、検出センサが入室を検出した場合に、トイレ室９の使用が開始されたことを検出した旨の使用開始検出信号を制御装置２に送信し、一方、検出センサが退室を検出した場合に、トイレ室９の使用が終了されたことを検出した旨の使用終了検出信号を制御装置２に送信する。
【００２９】
第１臭気レベル判定部２３は、トイレ室内の臭気が、第１設定臭気レベルとしての設定臭気レベルＢよりも高いか否かを、トイレ室内に設置された臭いセンサ５（図１に図示）による検出データに基づいて判定する。
【００３０】
臭いセンサ５は、この実施形態では、半導体ガスセンサが用いられている。この半導体ガスセンサは、例えばアンモニア、硫化水素、メチルメルカプタン、トリメチルアミン、酢酸等の臭気ガスの濃度に対応して電気抵抗が変化する構造を有し、その電気抵抗の変化を電圧に変換することによって、ガス濃度を電気的に検出するように構成されたものである。
【００３１】
尚、臭いセンサ５は、半導体ガスセンサのものに限らず、例えば水晶振動子式ガスセンサ、即ち、水晶振動子の表面に貼り付けた臭い感応膜に、臭い分子が吸着するとその膜の質量が増加し、それに比例して低下する水晶振動子の共振周波数の低下量を測定することによって臭いの濃度を測るものであっても良い。
【００３２】
そして、この臭いセンサ５は、この実施形態では、図１に示すように、トイレ室９内の壁面に、使用者がトイレ室９に設けられた便器９１に着座した際の顔（鼻）とほぼ同じ高さ位置に設置されている。ただし、臭いセンサ５の設置位置は、特に限定されず、適宜変更できる。
【００３３】
設定臭気レベルＢは、通常の人が臭いを弱く感じる程度の臭気レベルとして予め設定されたもので、そのレベルに対応した上記臭いセンサ５による値が該当する。
【００３４】
そして、トイレ室内の臭気レベルが設定臭気レベルＢよりも高い場合（臭気レベル＞設定臭気レベルＢ、以下、低臭気レベル維持判定部２６において同じ）には、第１臭気レベル判定部２３は、トイレ室内の臭気レベルが設定臭気レベルＢよりも高いとの判定をする。
【００３５】
又、制御装置２は、第１臭気レベル判定部２３がトイレ室内の臭気レベルが設定臭気レベルＢよりも高いとの判定をした場合、その判定に基づいて、消臭器の作動開始信号を生成する。
【００３６】
また、制御装置２は、上記使用開始判定部２１によって使用が開始されたとの判定をした場合であって、且つ、第１臭気レベル判定部２３によって、その開始時におけるトイレ室内の臭気レベルが設定臭気レベルＢよりも高いとの判定をした場合に、それらの判定に基づいて、芳香器作動開始信号を生成する。
【００３７】
一方、トイレ室内の臭気レベルが設定臭気レベルＢよりも高くない場合（臭気レベル≦設定臭気レベルＢ、以下、低臭気レベル維持判定部２６において同じ）には、第１臭気レベル判定部２３は、トイレ室内の臭気レベルが設定臭気レベルＢよりも高くないとの判定をする。
【００３８】
第２臭気レベル判定部２４は、上記消臭器の作動開始信号を送信した後におけるトイレ室９内の臭気レベルが、第２設定臭気レベルとしての設定臭気レベルＡよりも高いか否かを、上記臭いセンサ５による検出データに基づいて判定する。
【００３９】
この設定臭気レベルＡは、上記設定臭気レベルＢより臭気レベルを高くして設定されたもので、そのレベルに対応した上記センサ５による値が該当する。この実施形態では、通常の人が臭いを強く感じる程度の臭いのレベルである。
【００４０】
そして、トイレ室内の臭気レベルが設定臭気レベルＡよりも高くない場合（臭気レベル≦設定臭気レベルＡ、以下、高臭気レベル維持判定部２５において同じ）には、第２臭気レベル判定部２４は、トイレ室内の臭気レベルが設定臭気レベルＡよりも高くないとの判定を行う。
【００４１】
一方、トイレ室内の臭気レベルが設定臭気レベルＡよりも高い場合（臭気レベル＞設定臭気レベルＡ、以下、高臭気レベル維持判定部２５において同じ）には、第２臭気レベル判定部２４は、トイレ室内の臭気レベルが設定臭気レベルＡよりも高いとの判定を行う。
【００４２】
又、上記高いとの判定を行った場合、制御装置２は、その判定に基づいて、換気扇の作動開始信号を生成する。
【００４３】
高臭気レベル維持判定部２５は、上記換気扇の作動開始信号を送信した後におけるトイレ室９内の臭気レベルが未だ臭気レベルＡより高い状態を維持しているか否かを判定するもので、具体的には、トイレ室内の臭気レベルが設定臭気レベルＡよりも高いか否かを、上記臭いセンサ５による検出データに基づいて判定する。
【００４４】
そして、トイレ室内の臭気レベルが未だ設定臭気レベルＡよりも高い場合、高臭気レベル維持判定部２３は、未だ設定臭気レベルＡよりも高い状態を維持しているとの維持判定を行う。一方、トイレ室内の臭気レベルが設定臭気レベルＡよりも高くない場合は、設定臭気レベルＡよりも高い状態を維持していないとの判定を行う。
【００４５】
又、上記維持していないとの判定を行った場合には、制御装置２は、その判定に基づいて、換気扇の作動停止信号を生成する。
【００４６】
低臭気レベル維持判定部２６は、第２臭気レベル判定部２４によって設定臭気レベルＡよりも高くないとの判定を行った後、又は、高臭気レベル維持判定部２５によって設定臭気レベルＡよりも高い状態を維持していないとの判定を行った後におけるトイレ室内の臭気レベルが臭気レベルＢより高い状態を維持しているか否かを判定するもので、具体的には、トイレ室内の臭気レベルが設定臭気レベルＢよりも高いか否かを、上記臭いセンサ５による検出データに基づいて判定する。
【００４７】
そして、トイレ室内の臭気レベルが未だ設定臭気レベルＢよりも高い場合、低臭気レベル維持判定部２６は、上記設定臭気レベルＢよりも高い状態を維持しているとの維持判定を行う。一方、トイレ室内の臭気レベルが設定臭気レベルＢよりも高くない場合は、上記設定臭気レベルＢよりも高い状態を維持していないとの判定を行う。
【００４８】
又、低臭気レベル維持判定部２６が上記高い状態を維持していないとの判定を行った場合には、制御装置２は、その判定に基づいて、消臭器の作動停止信号を生成する。
【００４９】
また、制御装置２は、上記使用開始判定部２１によりトイレ室９の使用が開始されたとの判定をした後、上記使用終了判定部２２によりトイレ室９の使用が終了されたとの判定をする前に、上記低臭気レベル維持判定部２６によって維持していないとの判定をした場合は、その維持していないとの判定に基づいて、芳香器作動停止信号を生成する。或いは、上記使用開始判定部２１によりトイレ室９の使用が開始されたとの判定をした後、上記低臭気レベル維持判定部２６によって維持していないとの判定をする前に、上記使用終了判定部２２によりトイレ室９の使用が終了されたとの判定をした場合、その使用が終了されたとの判定に基づいて、制御装置２は、芳香器作動停止信号を生成する。
【００５０】
送信部２７は、例えば制御信号である芳香器作動開始信号や芳香器作動停止信号を芳香器１に送信し、又、例えば制御信号である消臭器の作動開始信号や消臭器の作動停止信号を消臭器３に送信する。また、送信部２７は、例えば制御信号である換気扇の作動開始信号や換気扇の作動停止信号を換気扇４に送信する。
【００５１】
又、制御装置２は、図示しないが、記録装置であるメモリ、制御装置であるＣＰＵ、表示装置である表示部、消臭器３及び換気扇４と通信するため通信インターフェース等を備えている。
【００５２】
そして、上記ＣＰＵは、図３の使用開始判定部２１、使用終了判定部２２、第１臭気レベル判定部２３、第２臭気レベル判定部２４、高臭気レベル維持判定部２５、低臭気レベル維持判定部２６、送信部２７として機能する。
【００５３】
次に、消臭器３について説明する。消臭器３は、この実施形態では、図示しないフィルタを備えた、いわゆるフィルタ式のもので、消臭器３の作動に伴い臭い分子をフィルタに吸着して分解するものが用いられている。尚、本システムに用いられる消臭器３の種類等は、特に限定されず、適宜変更できる。例えば触媒を用いるもの、あるいは、オゾンを用いるもの等、従来から消臭器として使用されているものを用いることができ、適宜変更できる。
【００５４】
又、消臭器３は、図４に示すように、消臭器作動開始部３１と、消臭器作動停止部３２と、受信部３３とを備えている。
【００５５】
消臭器作動開始部３１は、制御装置２から消臭器の作動開始信号を受信した場合に、その信号に基づいて消臭器３の作動を開始させる。
【００５６】
消臭器作動停止部３２は、制御装置２から消臭器の作動停止信号を受信した場合に、その信号に基づいて消臭器３の作動を停止させる。
【００５７】
受信部３３は、例えば消臭器の作動開始信号、消臭器の作動停止信号を制御装置２から受信する。
【００５８】
又、消臭器３は、図示しないが、記録装置であるメモリ、制御装置であるＣＰＵ、制御装置２と通信するため通信インターフェース等を備えている。
【００５９】
そして、上記ＣＰＵは、図２の消臭器作動開始部３１、消臭器作動停止部３２、受信部３３として機能する。
【００６０】
次に、換気扇４について説明する。この実施形態の換気扇４は、図１に示すように回転可能に設置されたファン４０を備え、トイレ室９の側壁の上部に配置されている。又、換気扇４は、図５に示すように換気扇作動開始部４１と、換気扇作動停止部４２と、受信部４３とを備えている。
【００６１】
換気扇作動開始部４１は、上記換気扇の作動開始信号を制御装置２から受信した場合に、その信号に基づいて、換気扇４の作動を開始させる、即ち、ファン４０の回転を開始させる。
【００６２】
換気扇作動停止部４２は、上記換気扇の作動停止信号を制御装置２から受信した場合に、その信号に基づいて、換気扇４の作動を停止させる、即ち、ファン４０の回転を停止させる。
【００６３】
受信部４３は、例えば上記換気扇の作動開始信号、上記換気扇の作動停止信号を制御装置２から受信する。
【００６４】
又、換気扇４は、図示しないが、記録装置であるメモリ、制御装置であるＣＰＵ、制御装置２と通信するため通信インターフェース等を備えている。
【００６５】
そして、上記ＣＰＵは、図４の換気扇作動開始部４１、換気扇作動停止部４２、受信部４３として機能する。
【００６６】
次に、本システムの動作について、図６〜図９に基づいて説明する。尚、説明の都合上、トイレ室９内における臭いがほとんどない状態から説明する。
【００６７】
まず、制御装置２は、トイレ室９の使用が開始された否かを判定する（図６、ステップＳ１）。このステップＳ１において、制御装置２がトイレ室９の使用が未だ開始されていないとの判定をした場合は、制御を戻して使用が開始されるのを待つ。
【００６８】
一方、ステップＳ１において、制御装置２がトイレ室９の使用が開始されたとの判定をした場合、そのトイレ室９の使用開始時、即ち、上記判定時におけるトイレ室９の臭気レベルが設定臭気レベルＢより高いか否かを判定する（図６、ステップＳ２）。
【００６９】
このステップＳ２において、制御装置２が設定臭気レベルＢより高くないとの判定をした場合、後述のステップＳ１４に移る。例えば図９に示すように、トイレ室９への入室があった時刻ｔ１において、トイレ室９の臭気レベルが設定臭気レベルＢより低いとの判定をする。
【００７０】
一方、制御装置２は、設定臭気レベルＢより高いとの判定をした場合、芳香器作動開始信号を生成して芳香器１に送信するとともに、消臭器の作動開始信号を生成して消臭器３に送信する。受信した芳香器１及び消臭器３は、夫々作動を開始する（図６、ステップＳ３）。
【００７１】
例えば図９に示すように、トイレ室９への入室があった時刻ｔ５において、トイレ室９の臭気レベルが設定臭気レベルＢより高いとの判定をし、芳香器作動開始信号を生成して芳香器１に送信するとともに、消臭器の作動開始信号を生成して消臭器３に送信する。
【００７２】
次に、制御装置２は、トイレ室９の使用が終了されたか否かを判定する（図６、ステップＳ４）。ステップＳ４において、制御装置２によって使用が終了されたとの判定がなされた場合は、後述のステップＳ３１に移る。
【００７３】
ステップＳ４において、使用が終了されていないとの判定をした場合、制御装置２は、トイレ室９の臭気レベルが設定臭気レベルＡより高いか否かを判定する（図６、ステップＳ５）。このステップＳ５において、制御装置２が設定臭気レベルＡより高くないとの判定をした場合、後述のステップＳ１１に移る。
【００７４】
ステップＳ５において、設定臭気レベルＡより高いとの判定をした場合、制御装置２は、換気扇の作動開始信号を生成して換気扇４に送信する。そして、それを受信した換気扇４は、作動を開始する（図６、ステップＳ６）。
【００７５】
例えば図９に示すように、時刻ｔ３で、制御装置２は、トイレ室９の臭気レベルが設定臭気レベルＡより高いとの判定をし、換気扇４は、作動を開始する。
【００７６】
その後、制御装置２は、トイレ室９の使用が終了されたか否かを判定する（図７、ステップＳ７）。ステップＳ７において、制御装置２によって使用が終了されたとの判定がなされた場合は、後述のステップＳ３２に移る。
【００７７】
ステップＳ７において、使用が終了されていないとの判定をした場合、制御装置２は、トイレ室９の臭気レベルが未だ設定臭気レベルＡより高いか否かを判定する（図７、ステップＳ８）。このステップＳ８において、制御装置２は、未だ設定臭気レベルＡより高いとの判定をした場合、制御を戻して設定臭気レベルＡ以下になるのを待つ。
【００７８】
一方、ステップＳ８において、設定臭気レベルＡより高くないとの判定をした場合、制御装置２は、換気扇の作動停止信号を生成し換気扇４に送信する。それを受信した換気扇４は、作動を停止する（図７、ステップＳ９）。
【００７９】
例えば図９に示すように、時刻ｔ４で、制御装置２は、トイレ室９の臭気レベルが設定臭気レベルＡ以下になったとの判定をし、換気扇４は、作動を停止する。
【００８０】
その後、制御装置２は、トイレ室９の使用が終了されたか否かを判定する（図７、ステップＳ１０）。ステップＳ１０において、制御装置２によって使用が終了されたとの判定がなされた場合は、後述のステップＳ３３に移る。
【００８１】
ステップＳ１０において、使用が終了されていないとの判定をした場合、制御装置２は、トイレ室９の臭気レベルが設定臭気レベルＢより高いか否かを判定する（図７、ステップＳ１１）。このステップＳ１１において、設定臭気レベルＢより高いとの判定をした場合、制御装置２は、制御を上記ステップＳ５に戻す。
【００８２】
一方、ステップＳ１１において、制御装置２は、設定臭気レベルＢより高くないとの判定をした場合、芳香器作動停止信号を生成して芳香器１に送信するとともに、消臭器の作動停止信号を生成して消臭器３に送信する。そして、受信した芳香器１及び消臭器３は、夫々、作動を停止する（図７、ステップＳ１２）。
【００８３】
例えば図９に示すように、時刻ｔ６で、制御装置２は、トイレ室９の臭気レベルが設定臭気レベルＢ以下になったとの判定をし、芳香器１及び消臭器３は、夫々、作動を停止する。
【００８４】
次に、制御装置２は、トイレ室９の使用が終了されたか否かを判定する（図７、ステップＳ１３）。ステップＳ１３において、使用が終了されていないとの判定をした場合、制御装置２は、制御を戻して使用が終了されるのを待つ。一方、制御装置２は、使用が終了されたとの判定をした場合は、制御を上述のステップＳ１に戻し、上述のステップを繰り返す。
【００８５】
又、上述のステップＳ２において、使用開始時の臭気レベルが設定臭気レベルＢより高くないとの判定をした場合は、図８のステップＳ１４に移り、その後におけるトイレ室９の臭気レベルが設定臭気レベルＢより高くなったか否かを判定する。そして、設定臭気レベルＢより高いとの判定をした場合、制御装置２は、消臭器の作動開始信号を生成して消臭器３に送信し、受信した消臭器３は、作動を開始する（図８、ステップＳ１５）。
【００８６】
例えば図９に示すように、時刻ｔ２で、制御装置２は、トイレ室９の臭気レベルが設定臭気レベルＢ以上になったとの判定をし、消臭器３は作動を開始する。
【００８７】
その後、上述のステップＳ５、Ｓ６、Ｓ８、Ｓ９、Ｓ１１と同じステップをとる。即ち、制御装置２は、トイレ室９の臭気レベルが設定臭気レベルＡより高いか否かを判定し（図８、ステップＳ１６）、設定臭気レベルＡより高いとの判定をした場合、制御装置２は、換気扇の作動開始信号を生成して換気扇４に送信し、それを受信した換気扇４は、作動を開始する（図８、ステップＳ１７）。一方、設定臭気レベルＡより高くないとの判定をした場合、後述のステップＳ２０に移る。
【００８８】
次に、制御装置２は、トイレ室９の臭気レベルが未だ設定臭気レベルＡより高いか否かを判定し（図８、ステップＳ１８）、設定臭気レベルＡより高くないとの判定をした場合は、制御装置２は、換気扇の作動停止信号を生成し換気扇４に送信し、それを受信した換気扇４は、作動を停止する（図８、ステップＳ１９）。
【００８９】
その後、制御装置２は、トイレ室９の臭気レベルが設定臭気レベルＢより高い状態を維持しているか否かを判定し（図８、ステップＳ２０）、維持していないとの判定をした場合、制御装置２は、消臭器の作動停止信号を生成し消臭扇３に送信し、それを受信した消臭器３は、作動を停止する（図８、ステップＳ２１）。
【００９０】
又、上述のステップＳ４において、制御装置２は、使用が終了されたとの判定をした場合、芳香器作動停止信号を生成して芳香器１に送信する。そして、それを受信した芳香器１は、作動を停止する（図６、ステップＳ３１）。その後、上述のステップＳ１６〜ステップＳ２１をとる。
【００９１】
また、上述のステップＳ７において、制御装置２は、使用が終了されたとの判定をした場合、上述のステップＳ４の場合と同様に、芳香器作動停止信号を生成して芳香器１に送信し、それを受信した芳香器１は、作動を停止する（図７、ステップＳ３２）。その後、上述のステップＳ１８〜ステップＳ２１をとる。
【００９２】
又、上述のステップＳ１０において、制御装置２は、使用が終了されたとの判定をした場合も、同様に、芳香器作動停止信号を生成して芳香器１に送信し、それを受信した芳香器１は、作動を停止する（図７、ステップＳ３３）。その後、上述のステップＳ２０、ステップＳ２１をとる。
【００９３】
尚、上記実施形態では、トイレ室の臭気レベルに応じて消臭器３と換気扇４とを作動させるようにしているが、この形態のものに限らず、適宜変更できる。
【００９４】
例えば、消臭器３と換気扇４とを有しないものとし、制御装置２は、トイレ室の使用が開始され、且つ、その使用開始時におけるトイレ室の臭気レベルが設定レベルよりも高い場合に芳香器を作動させるように制御するようにしても良い。
【００９５】
詳しくは、制御装置２は、図１０に示すように、トイレ室の使用が開始されたか否かを判定する使用開始判定部２１と、トイレ室の使用が終了されたか否かを判定する使用終了判定部２２と、トイレ室の臭気レベルが設定臭気レベルＢより高いか否かを判定する臭気レベル判定部２８と、芳香器作動開始信号や芳香器作動停止信号を芳香器に送信する送信部２７とを備えたものとする。
【００９６】
そして、図１１に示すように、制御装置２は、トイレ室９の使用が開始された否かを、判定する（図１１、ステップＳ１０１）。このステップＳ１０１において、制御装置２がトイレ室９の使用が開始されていないとの判定をした場合は、トイレ室９の使用が開始されるまで待つ。
【００９７】
一方、ステップＳ１０１において、制御装置２がトイレ室９の使用が開始されたとの判定をした場合、その判定時におけるトイレ室９の臭気レベルが設定臭気レベルＢより高いか否かを判定する（図１１、ステップＳ１０２）。
【００９８】
このステップＳ２において、制御装置２が設定臭気レベルＢより高くないとの判定をした場合、後述のステップＳ１０７に移る。
【００９９】
一方、設定臭気レベルＢより高いとの判定をした場合、制御装置２は、芳香器作動開始信号を生成して芳香器１に送信する。受信した芳香器１は、作動を開始する（図１１、ステップＳ１０３）。
【０１００】
次に、制御装置２は、トイレ室９の使用が終了されたか否かを判定する（図１１、ステップＳ１０４）。ステップＳ１０４において、制御装置２によって使用が終了されたとの判定がなされた場合は、芳香器作動停止信号を生成して芳香器１に送信する。そして、それを受信した芳香器１は、作動を停止する（図１１、ステップＳ１０８）。
【０１０１】
ステップＳ１０４において、使用が終了されていないとの判定をした場合、制御装置２は、トイレ室９の臭気レベルが設定臭気レベルＢより高いか否かを判定する（図１１、ステップＳ１０５）。このステップＳ１０５において、設定臭気レベルＢより高いとの判定をした場合、上記ステップＳ１０４に戻す。
【０１０２】
ステップＳ１０５において、設定臭気レベルＢより高くないとの判定をした場合、制御装置２は、芳香器作動停止信号を生成して芳香器１に送信する。そして、それを受信した芳香器１は、作動を停止する（図１１、ステップＳ１０６）。
【０１０３】
その後、制御装置２は、トイレ室９の使用が終了されたか否かを判定する（図１１、ステップＳ１０７）。ステップＳ１０７において、使用が終了されていないとの判定をした場合、制御装置２は、制御を戻して使用が終了されるのを待つ。
【０１０４】
一方、ステップＳ１０７において、制御装置２は、使用が終了されたとの判定をした場合は、制御を上述のステップＳ１０１に戻し、上述のステップを繰り返す。
【０１０５】
また、上記実施形態では、トイレ室内に消臭器３と換気扇４との両方を作動させるようにしているが、この形態のものに限らず、何れか一方を作動させるようにしても良く、適宜変更できる。
【０１０６】
又、上記実施形態では、制御装置２を、芳香器１、消臭器３、換気扇４と別途に設けたものとしているが、例えば芳香器１、消臭器３又は換気扇４に組み込んで付設したものとしても良く、適宜変更できる。
【０１０７】
又、上記実施形態では、設定臭気レベルＢを、通常の人が臭いを弱く感じる程度の低臭気レベルに、設定臭気レベルＡを、通常の人が臭いを、設定臭気レベルＢよりも強く感じる程度の高臭気レベルに、夫々設定しているが、この形態のものに限らず、設定臭気レベルＡ及び設定臭気レベルＢを任意に設定できる。
【０１０８】
また、上記実施形態では、トイレ室の使用が終了された場合とトイレ室の臭気レベルが設定レベルＢ以下の場合との少なくとも一方に該当した場合に芳香器作動停止信号を生成して芳香器に送信し、芳香器はその受信した芳香器作動停止信号に基いて芳香器の作動を停止するようにしているが、この形態のものに限らず、適宜変更できる。
【０１０９】
例えばトイレ室の使用が終了された場合に芳香器作動停止信号を生成し、又は、トイレ室の臭気レベルが設定レベルＢ以下の場合に芳香器作動停止信号を生成するようにしても良い。
【０１１０】
又、芳香器は、芳香器作動停止信号に基いて作動を停止する形態のものに限らず、例えば作動を開始してから一定時間後に停止させるようにしても良い。
【０１１１】
又、上記実施形態では、使用開始判定部は、トイレ室９に設置された赤外線センサによる使用者の入室を検出した場合の信号に基づいて、トイレ室の使用が開始されたか否かを判定し、使用終了判定部は、その赤外線センサによる使用者の退室の検出に基いて、トイレ室の使用が終了されたか否かを判定しているが、この形態のものに限らず、適宜変更できる。
【０１１２】
例えばトイレ室の便器に設けられた便座又は便器近傍の床面に圧力センサを設けておき、使用者が着座した場合に圧力センサにかかる圧力の変化によって、あるいは、便器の下部に距離センサを設けておき、使用者が着座した場合に使用者の足が距離センサを遮ることによる距離の変化によって、使用者が便座への着座を検出した場合にトイレ室の使用が開始されたものとし、その信号に基づいてトイレ室の使用が開始されたとの判定をするとともに、使用者が着座した便座から離れたことを検出した場合の信号に基づいてトイレ室の使用が終了されたとの判定をするようにしても良い。
【０１１３】
更には、トイレ室のドアの開閉を検出する検出センサを設置してその開閉検出センサによるドアの開閉の検出に基づいてトイレ室の使用の開始及び終了を判定しても良い。
【図面の簡単な説明】
【０１１４】
【図１】本発明の一実施の形態の消臭システムを施したトイレ室の概略図である。
【図２】同システムに用いられる芳香器を説明するためのブロック図である。
【図３】同システムに用いられる制御装置を説明するためのブロック図である。
【図４】同システムに用いられる消臭器を説明するためのブロック図である。
【図５】同システムに用いられる換気扇を説明するためのブロック図である。
【図６】本発明のシステムの動作を説明するためのフローチャートの一部である。
【図７】本発明のシステムの動作を説明するためのフローチャートの他の一部である。
【図８】本発明のシステムの動作を説明するためのフローチャートの更に他の一部である。
【図９】臭気レベルと、芳香器と、消臭器と、換気扇と、入室との関係を示す説明図である。
【図１０】他の実施形態のトイレ室の消臭システムに用いられる制御装置を説明するためのブロック図である。
【図１１】他の実施形態のトイレ室の消臭システムの動作を説明するためのフローチャートの一部である。
【符号の説明】
【０１１５】
１    芳香器
２    制御装置
３    消臭器
４    換気扇
９    トイレ室
【図１】
2009155832.tif 000003
【図２】
2009155832.tif 000004
【図３】
2009155832.tif 000005
【図４】
2009155832.tif 000006
【図５】
2009155832.tif 000007
【図６】
2009155832.tif 000008
【図７】
2009155832.tif 000009
【図８】
2009155832.tif 000010
【図９】
2009155832.tif 000011
【図１０】
2009155832.tif 000012
【図１１】
2009155832.tif 000013